(57)【要約】【課題】本体部、本体部から前側に延出されたアーム部、アーム部の上部から下側に延出されたワイヤ、ワイヤの延出端に接続された荷物保持用のハンド部、本体部に設けられてワイヤを巻き取り及び繰り出してハンド部を昇降させる昇降装置、本体部に設けられて昇降装置に電力を供給するバッテリーを備えたアシスト器具において、作業者がアシスト器具を装着して屋外の作業を行う場合、雨天に適切に対応することができるレインカバーを得る。【解決手段】レインカバーにおいて、本体部の前側を覆う前側部２９と、後側を覆う後側部と、横側を覆う横側部３１と、上側を覆う上側部３２とを備え、可撓性及び防水性を有する素材によって形成する。【選択図】図５
2019026471.tif 000002
【特許請求の範囲】
【請求項１】
作業者の背中部に取り付けられる本体部と、前記本体部から前側に延出されたアーム部と、前記アーム部の上部から下側に延出されたワイヤと、前記ワイヤの延出端に接続された荷物保持用のハンド部と、前記本体部に設けられて前記ワイヤを巻き取り及び繰り出して前記ハンド部を昇降させる昇降装置と、前記本体部に設けられて前記昇降装置に電力を供給するバッテリーとが備えられたアシスト器具のレインカバーであって、
前記本体部の前側を覆う前側部と、後側を覆う後側部と、横側を覆う横側部と、上側を覆う上側部とが備えられ、
可撓性及び防水性を有する素材によって形成されたレインカバー。
【請求項２】
前記前側部は、右側部分と左側部分とに分割されて、
前記右側部分と前記左側部分との突き合わせ部分を、接続及び分離自在な接続部が設けられている請求項１に記載のレインカバー。
【請求項３】
アシスト器具を装着した作業者の腕部が挿入される腕部カバーが備えられて、
前記右側部分と前記左側部分とが、アシスト器具を装着した作業者の胴部の前側を覆うことが可能な大きさに設定されている請求項２に記載のレインカバー。
【請求項４】
前記アーム部に取り付けられて、アシスト器具を装着した作業者の頭部の上側を覆う頭部カバーが備えられている請求項１〜３のうちのいずれか一項に記載のレインカバー。
【請求項５】
前記バッテリーを交換する為の開閉自在な開閉部が、前記バッテリーに対向する部分に設けられている請求項１〜４のうちのいずれか一項に記載のレインカバー。
【請求項６】
前記前側部、前記後側部、前記横側部及び前記上側部の内側と外側との換気を行う為の換気部が設けられている請求項１〜５のうちのいずれか一項に記載のレインカバー。
【発明の詳細な説明】
【技術分野】
【０００１】
本発明は、作業者が装着して使用するもので、作業者の作業を補助するアシスト器具において、アシスト器具に使用されるレインカバーに関する。
【背景技術】
【０００２】
前述のようなアシスト器具として、特許文献１に開示されているようなものがある。
特許文献１では、作業者の背中部に取り付けられる本体部、本体部から前側に延出されたアーム部が備えられている。本体部に昇降装置が設けられて、ワイヤが、昇降装置からアーム部に沿って延出され、アーム部の上部から下側に延出されており、ワイヤの延出端にハンド部が接続されている。
【０００３】
ハンド部により荷物を保持した状態で、昇降装置によりワイヤを巻き取ることによりハンド部（荷物）を上昇させ、昇降装置によりワイヤを繰り出すことによりハンド部（荷物）を下降させる。
【先行技術文献】
【特許文献】
【０００４】
【特許文献１】特開２０１６−１２９９１６号公報
【発明の概要】
【発明が解決しようとする課題】
【０００５】
作業者が前述のようなアシスト器具を装着して作業を行う場合、屋内の作業ばかりではなく、屋外の作業も想定されるので、雨天での屋外の作業に対応できるようにすることが要望されている。
本発明は、作業者がアシスト器具を装着して屋外の作業を行う場合、雨天に適切に対応することができるレインカバーを得ることを目的としている。
【課題を解決するための手段】
【０００６】
本発明のレインカバーは、
作業者の背中部に取り付けられる本体部と、前記本体部から前側に延出されたアーム部と、前記アーム部の上部から下側に延出されたワイヤと、前記ワイヤの延出端に接続された荷物保持用のハンド部と、前記本体部に設けられて前記ワイヤを巻き取り及び繰り出して前記ハンド部を昇降させる昇降装置と、前記本体部に設けられて前記昇降装置に電力を供給するバッテリーとが備えられたアシスト器具のレインカバーであって、
前記本体部の前側を覆う前側部と、後側を覆う後側部と、横側を覆う横側部と、上側を覆う上側部とが備えられ、
可撓性及び防水性を有する素材によって形成されている。
【０００７】
前述のようにハンド部を昇降させるアシスト器具では、可動部分である昇降装置、及び電気系統であるバッテリーが、本体部に設けられている。
本発明によると、レインカバーによって、アシスト器具の本体部の前側、後側、横側及び上側が覆われるのであり、アシスト器具の本体部が雨から保護される。
これにより、アシスト器具において、可動部分である昇降装置及び電気系統であるバッテリーへの雨の付着を抑え、雨の付着による不具合の発生を抑えることができる。
【０００８】
本発明において、
前記前側部は、右側部分と左側部分とに分割されて、
前記右側部分と前記左側部分との突き合わせ部分を、接続及び分離自在な接続部が設けられていると好適である。
【０００９】
本発明によると、レインカバーの前側部を右側部分及び左側部分に開くことができるので、レインカバーの前側部の開いた部分を通して、レインカバーをアシスト器具に取り付けたり取り外したりすることが、容易に行えるようになる。
【００１０】
本発明において、
アシスト器具を装着した作業者の腕部が挿入される腕部カバーが備えられて、
前記右側部分と前記左側部分とが、アシスト器具を装着した作業者の胴部の前側を覆うことが可能な大きさに設定されていると好適である。
【００１１】
本発明によると、作業者がアシスト器具を装着した状態で、レインカバーを作業者及びアシスト器具に取り付けることができる（レインカバーを作業者が着ることができる）。
この場合、アシスト器具を装着した作業者は、レインカバーの前側部の右側部分及び左側部分を開いた状態で、腕部をレインカバーの腕部カバーに挿入して、レインカバーを着るのであり（取り付けるのであり）、レインカバーの前側部の右側部分及び左側部分を、作業者の前側に位置させて、レインカバーの前側部の右側部分及び左側部分を接続することにより、作業者がレインカバーを着た状態となる。
【００１２】
これにより、作業者がアシスト器具を装着した状態で、レインカバーによって、作業者及びアシスト器具の本体部の前側、後側、横側及び上側が覆われるのであり、作業者及びアシスト器具の本体部が雨から保護される。
【００１３】
本発明において、
前記アーム部に取り付けられて、アシスト器具を装着した作業者の頭部の上側を覆う頭部カバーが備えられていると好適である。
【００１４】
本発明によると、作業者がアシスト器具を装着した状態において、レインカバーの頭部カバーをアシスト器具のアーム部に取り付けることにより、作業者の頭部が覆われるのであり、レインカバーの頭部カバーにより作業者の頭部が雨から保護される。
【００１５】
ハンド部を昇降させるアシスト器具では、アーム部が比較的高い位置に配置されているので、レインカバーの頭部カバーをアシスト器具のアーム部に取り付けることにより、レインカバーの頭部カバーを作業者の頭部の上側に無理なく配置することができる。
【００１６】
本発明において、
前記バッテリーを交換する為の開閉自在な開閉部が、前記バッテリーに対向する部分に設けられていると好適である。
【００１７】
レインカバーを取り付けた状態において、開閉部を開き操作することにより、バッテリーを容易に交換することができるのであり、バッテリーを交換する為にレインカバーの全体を取り外す必要はない。
【００１８】
本発明において、
前記前側部、前記後側部、前記横側部及び前記上側部の内側と外側との換気を行う為の換気部が設けられていると好適である。
【００１９】
レインカバーを取り付けた状態で作業が進行すると、昇降装置やバッテリーから発生した熱が、レインカバーの内部に滞留することがある。
本発明によると、昇降装置やバッテリーから発生した熱がレインカバーの内部に滞留しようとしても、レインカバーの換気部により、熱が外部に排出され、外部の空気がレインカバーの内部に導入されるので、昇降装置やバッテリーから発生した熱が、レインカバーの内部に滞留することは少ない。
【図面の簡単な説明】
【００２０】
【図１】作業者がアシスト器具を装着した状態での右側面図である。
【図２】作業者がアシスト器具を装着した状態での背面図である。
【図３】アシスト器具の斜視図である。
【図４】レインカバーの斜視図である。
【図５】レインカバーをアシスト器具の本体部に取り付けた状態を示す斜視図である。
【図６】発明の実施の第１別形態において、レインカバーの斜視図である。
【図７】発明の実施の第２別形態において、レインカバーの斜視図である。
【発明を実施するための形態】
【００２１】
図１〜図７には、作業者が装着して使用するアシスト器具、及びアシスト器具に取り付けられるレインカバー２８が示されている。
本発明の実施形態における前後方向及び左右方向は、特段の説明がない限り、以下のように記載している。作業者がアシスト器具を装着した状態において、作業者から視て前側が「前」であり、後側が「後」であり、右側が「右」であり、左側が「左」である。
【００２２】
（アシスト器具の全体構成及び本体部）
図１，２，３に示すように、アシスト器具には、作業者の背中部に取り付けられる本体部１、本体部１の上部から上側に延出され前側に延出された右及び左のアーム部２、本体部１の下部に設けられた右及び左の脚作用部３が備えられており、作業者への装着用の取付ベルト４、右及び左の肩ベルト５が備えられている。
【００２３】
本体部１は、右及び左の縦フレーム６、右及び左の縦フレーム６に亘って連結された支持板７等を備えて、枠状となっている。脚作用部３に取付ベルト４が取り付けられ、支持板７の前面の上部に肩ベルト５が取り付けられている。支持板７の後面の上下中間部に制御装置８が取り付けられており、支持板７の後面の下部にバッテリー９が取り付けられている。
【００２４】
図１及び図２に示すように、肩ベルト５に作業者の腕部（肩部）を入れ、取付ベルト４を作業者の腰部に巻き付けて固定することにより、作業者の背中部に本体部１が取り付けられる。
【００２５】
アシスト器具及び荷物の重量が取付ベルト４を介して主に作業者の腰部に掛かるのであり、アシスト器具及び荷物の重量が作業者の腰部により安定して支持される。右及び左の肩ベルト５は、主に本体部１が作業者の背中部から後方に離れようとする状態を止める機能を発揮する。
【００２６】
（右及び左の脚作用部）
図１，２，３に示すように、脚作用部３は、基部１０、伝動ケース１１、操作アーム１２及び脚ベルト１３等を備えている。支持板７の下部に左右方向にスライド自在に基部１０が支持されており、基部１０の外端部に伝動ケース１１が前向きに連結されている。
【００２７】
伝動ケース１１の前部の左右方向の横軸芯Ｐ１周りに、操作アーム１２が揺動自在に支持されており、幅広のベルト状の脚ベルト１３が操作アーム１２に取り付けられている。複数の平ギヤにより構成された伝動機構（図示せず）が伝動ケース１１の内部に備えられて、電動モータ（図示せず）が基部１０の内部に備えられており、電動モータにより伝動機構を介して操作アーム１２が横軸芯Ｐ１周りに揺動駆動される。
【００２８】
作業者の背中部に本体部１を取り付ける場合、作業者が取付ベルト４を腰部に巻き付けて固定する際に、取付ベルト４と一緒に、右及び左の脚作用部３（基部１０）が支持板７に沿って左右方向に移動可能である。
取付ベルト４の作業者の腰部への巻き付け具合によって、作業者の体格に合わせるように右及び左の脚作用部３の間隔が決まるのであり、取付ベルト４により右及び左の脚作用部３の位置が決められる。
【００２９】
図１及び図２に示すように、作業者は脚ベルト１３を太腿部に巻き付けて、面ファスナ（図示せず）（マジックテープ（登録商標））により、脚ベルト１３を太腿部に取り付ける。作業者がアシスト器具を装着した状態において、作業者の腰部の右側に右の脚作用部３（伝動ケース１１）が位置し、作業者の腰部の左側に左の脚作用部３（伝動ケース１１）が位置する。
【００３０】
（右及び左のアーム部）
図１，２，３に示すように、右及び左の縦フレーム６の上部が、作業者の右及び左の肩部を越えて斜め上側に延出され斜め前側に延出されて、右及び左のアーム部２となっている。アーム部２の上端部に右及び左の支持部材１６が取り付けられており、右及び左のプーリー（図示せず）が、支持部材１６に回転自在に支持されている。
【００３１】
支持板７の後面の上部に昇降装置１７が取り付けられており、昇降装置１７から、右の２本のワイヤ１８，１９、及び左の２本のワイヤ１８，１９が延出されている。
支持板７の上部にアウター支持部１５が連結され、支持部材１６にアウター支持部１６ａが備えられている。ワイヤ１８，１９のアウター１８ｂ，１９ｂの端部が、アウター支持部１５及び支持部材１６のアウター支持部１６ａに接続されて、ワイヤ１８，１９のインナー１８ａ，１９ａが昇降装置１７に接続されている。
【００３２】
右の２本のワイヤ１８，１９のインナー１８ａ，１９ａが、右の支持部材１６のプーリーに掛けられて下側に延出されており、右の２本のワイヤ１８，１９のインナー１８ａ，１９ａの延出端に、右のハンド部２０が接続されている。
【００３３】
左の２本のワイヤ１８，１９のインナー１８ａ，１９ａが、左の支持部材１６のプーリーに掛けられて下側に延出されており、左の２本のワイヤ１８，１９のインナー１８ａ，１９ａの延出端に、左のハンド部２０が接続されている。
【００３４】
（昇降装置）
図１及び図２に示すように、昇降装置１７は支持板７に連結されている。伝動機構（図示せず）を内装する上下向きの伝動ケース２５、伝動ケース２５の上部に横向きに連結された支持ケース２６、伝動ケース２５の下部に横向きに連結された電動モータ２７、支持ケース２６の内部で横向きの軸芯周りに回転自在に支持された４個の回転体（図示せず）が、昇降装置１７に備えられている。
【００３５】
右及び左のワイヤ１８，１９のアウター１８ｂ，１９ｂの端部が、アウター支持部１５に接続され、ワイヤ１８，１９のインナー１８ａ，１９ａが、支持ケース２６の内部の４個の回転体の各々に接続されている。
【００３６】
制御装置８の操作指令及びバッテリー９の電力により、電動モータ２７が作動する。電動モータ２７の動力が伝動ケース２５の内部の伝動機構を介して、支持ケース２６の内部の回転体に伝達されるのであり、回転体が巻き取り側及び繰り出し側に回転駆動される。
【００３７】
図１に示すように、硬質の合成樹脂製のカバー２１が用意されており、カバー２１が本体部１に着脱自在である。
カバー２１により制御装置８及び昇降装置１７が覆われており、作業者がアシスト器具を装着しての作業中に、制御装置８及び昇降装置１７を柱や壁等の障害物に接触させて破損させてしまうような状態が、カバー２１によって防止される。
【００３８】
（ハンド部による昇降装置の操作構成）
図１及び図２に示すように、ハンド部２０は、板材をチャンネル状に折り曲げて形成されたフック状である。右のハンド部２０に上昇操作スイッチ２３が取り付けられ、左のハンド部２０に下降操作スイッチ２４が取り付けられている。
【００３９】
図１，２，３に示すように、制御装置８に接続された右及び左のハーネス１４が、右及び左のアーム部２の内部に入り、アーム部２の内部を通ってアーム部２の上端部に延出されている。右及び左のアーム部２の上端部の開口部から、ハーネス１４が出て下側に延出されており、右のハーネス１４が上昇操作スイッチ２３に接続され、左のハーネス１４が下降操作スイッチ２４に接続されている。
【００４０】
図１及び図２に示すように、上昇操作スイッチ２３を押し操作すると、電動モータ２７により回転体が巻き取り側に回転駆動され、ワイヤ１８，１９のインナー１８ａ，１９ａが回転体に巻き取られて、ハンド部２０が上昇する。
【００４１】
下降操作スイッチ２４を押し操作すると、電動モータ２７により回転体が繰り出し側に回転駆動され、ワイヤ１８，１９のインナー１８ａ，１９ａが回転体から繰り出されて、ハンド部２０が下降する。
【００４２】
上昇操作スイッチ２３及び下降操作スイッチ２４の押し操作を止めると、電動モータ２７が停止する。電動モータ２７に電磁ブレーキ（図示せず）が備えられており、電動モータ２７の作動時に電磁ブレーキは自動的に解除状態となり、電動モータ２７の停止時及び非通電時に電磁ブレーキは自動的に制動状態となる。
【００４３】
図１，２，３に示すように、右の脚作用部３において、伝動ケース１１の前部に操作ボックス２２が設けられている。操作ボックス２２には、昇降装置１７を作動状態及び停止状態とする主スイッチ（図示せず）や、電動モータ２７による回転体の駆動速度（ハンド部２０の昇降速度）を設定する速度スイッチ（図示せず）、バッテリー９の残量表示部（図示せず）等の、各種のスイッチや表示部が設けられている。
【００４４】
（レインカバーの構成）
雨天での屋外の作業に対応できるように、レインカバー２８が用意されており、以下にレインカバー２８について説明する。
【００４５】
図４に示すように、レインカバー２８は、前側部２９、後側部３０、右及び左の横側部３１、上側部３２、右及び左の脚作用部カバー３３を備えており、可撓性及び防水性を有する素材（生地）によって形成されている。
【００４６】
後側部３０は、アシスト器具の本体部１の後側を覆うものである。カバー２１（制御装置８及び昇降装置１７）を無理なく覆うことができるように、後側部３０におけるカバー２１（制御装置８及び昇降装置１７）に対向する部分が、少し後側に膨らむように形成されている。
後側部３０の右及び左部に、右及び左の横側部３１が接続されている。
【００４７】
前側部２９は右側部分２９ａ及び左側部分２９ｂに分割されており、右の横側部３１から前側部２９の右側部分２９ａが延出され、左の横側部３１から前側部２９の左側部分２９ｂが延出されている。前側部２９の右側部分２９ａ及び左側部分２９ｂの延出端部に、面ファスナ３４，３５（接続部に相当）が取り付けられ、前側部２９の右側部分２９ａ及び左側部分２９ｂの上部に、面ファスナ３６が取り付けられている。
ている。
【００４８】
上側部３２が、後側部３０の上部から上側に延出されている。上側部３２の中央部にスリット３２ｃが形成されて、上側部３２が右及び左に分割されており、スリット３２ｃにつながる開口部３２ａが形成されている。上側部３２の右及び左部に切り欠き部３２ｂが形成されており、上側部３２の延出端部に、面ファスナ３７が取り付けられている。
【００４９】
後側部３０の下部に、正面視でチャンネル状に切断線３８が形成されて、後側部３０の下部に開閉部３９が設けられており、開閉部３９が上側に開き操作自在である。切断線３８の部分に面ファスナ（図示せず）が取り付けられており、通常は面ファスナにより開閉部３９を閉じておく。
【００５０】
右及び左の脚作用部カバー３３は、横端部が寄せ集められてギャザー部３３ａが設けられており、ギャザー部３３ａが後側部３０の下部の右部（左部）に接続されている（縫い合わされている）。右及び左の脚作用部カバー３３の上部及び下部に、面ファスナ４０が取り付けられている。
【００５１】
（レインカバーのアシスト器具への取り付け）
図４に示すレインカバー２８をアシスト器具に取り付ける場合、以下の説明のようして取り付ける。
【００５２】
図４及び図５に示すように、レインカバー２８において、後側部３０をアシスト器具の本体部１（カバー２１）の後側に当て、右及び左の横側部３１をアシスト器具の本体部１の右及び左の横側に当てる。
【００５３】
アシスト器具のアウター支持部１５を、上側部３２のスリット３２ｃから開口部３２ａに入り込ませ、アシスト器具の肩ベルト５を、上側部３２の切り欠き部３２ｂに入り込ませて、上側部３２を右及び左のアーム部２の間から、アシスト器具の本体部１（支持板７）の前側に回り込ませる。
【００５４】
前側部２９の右側部分２９ａ及び左側部分２９ｂを、アシスト器具の本体部１（支持板７）の前側に回り込ませて、面ファスナ３４，３５により、前側部２９の右側部分２９ａ及び左側部分２９ｂの突き合わせ部分を接続する。面ファスナ３６，３７により、上側部３２を前側部２９（右側部分２９ａ及び左側部分２９ｂ）に接続する。
【００５５】
右及び左の脚作用部カバー３３を、右及び左の脚作用部３の伝動ケース１１に横外側に当てつけながら巻き付けて、面ファスナ４０を接続して、右及び左の脚作用部カバー３３を右及び左の脚作用部３（伝動ケース１１）に取り付ける。
以上のようにして、図５に示すように、レインカバー２８をアシスト器具の本体部１に取り付けることができる。
【００５６】
図４及び図５に示すように、レインカバー２８をアシスト器具の本体部１に取り付けた状態において、アシスト器具の本体部１（支持板７）の前側が、レインカバー２８の前側部２９により覆われる。
アシスト器具の本体部１（制御装置８、昇降装置１７及びバッテリー９、カバー２１）の後側、右及び左の横側が、レインカバー２８の後側部３０、右及び左の横側部３１により覆われる。
アシスト器具の本体部１（昇降装置１７）の上側が、レインカバー２８の上側部３２により覆われる。
アシスト器具の右及び左の脚作用部３が、レインカバー２８の右及び左の脚作用部カバー３３により覆われる。
【００５７】
レインカバー２８をアシスト器具の本体部１に取り付けた状態で、レインカバー２８の開閉部３９がバッテリー９の後側に位置するのであり、開閉部３９を開き操作することによって、バッテリー９の交換を行うことができる。
【００５８】
レインカバー２８をアシスト器具の本体部１に取り付けた状態で、レインカバー２８から外側に、取付ベルト４及び肩ベルト５が出ているので、前項の（アシスト器具の全体構成及び本体部）及び（右及び左の脚作用部）に記載のようにして、作業者はアシスト器具を装着する。
【００５９】
前項の（右及び左の脚作用部）に記載のように、作業者が取付ベルト４を腰部に巻き付けて固定する際に、取付ベルト４と一緒に、右及び左の脚作用部３（基部１０）が支持板７に沿って左右方向に移動するのであり、この移動が、レインカバー２８の右及び左の脚作用部カバー３３のギャザー部３３ａ（図４参照）によって許容（吸収）される。
【００６０】
（アシスト器具の作業形態）
例えば、パレットや床に置かれた荷物を高い棚やトラックの荷台に置くような場合、作業者がしゃがんでパレットや床の荷物を手で持ち、手を下に延ばした状態で荷物を持ちながら立ち上がり、手で荷物を持ち上げて、荷物を高い棚やトラックの荷台に置くような状態が想定される。
【００６１】
アシスト器具を装着した作業者が前述のような作業を行う状態において、上昇操作スイッチ２３及び下降操作スイッチ２４の押し操作に基づいて、制御装置８により右及び左の脚作用部３、昇降装置１７が作動する状態について説明する。
【００６２】
図１及び図２に示すように、作業者がアシスト器具を装着した状態において、作業者が上昇操作スイッチ２３及び下降操作スイッチ２４の両方を押し操作していないと、昇降装置１７の電動モータ２７は停止して、右及び左の脚作用部３の電動モータは停止状態（自由回転状態）となる。
【００６３】
作業者が歩行する場合や、作業者が膝部を曲げて腰部を落とす場合（しゃがむ場合）、作業者の太腿部に追従するように操作アーム１２が揺動するのであり、作業者の動作が妨げられることはない。
【００６４】
作業者がしゃがんでパレットや床の荷物を持つ場合、作業者が下降操作スイッチ２４を押し操作すると、昇降装置１７において電動モータ２７が繰り出し側に作動し、ワイヤ１８，１９のインナー１８ａ，１９ａが繰り出されて、ハンド部２０が下降する。
下降操作スイッチ２４の押し操作を止めると、電動モータ２７が停止して、ハンド部２０が停止するので、作業者は、ハンド部２０により荷物を保持する。
【００６５】
前項の（昇降装置）に記載のように、電動モータ２７に電磁ブレーキ（図示せず）が備えられており、電動モータ２７の停止時及び非通電時に、電磁ブレーキは自動的に制動状態となる。
電動モータ２７が停止した状態において、昇降装置１７からワイヤ１８，１９のインナー１８ａ，１９ａが繰り出されることはなく、後述するようにハンド部２０に荷物の重量が掛かっても、ハンド部２０が下降することはない。
【００６６】
作業者は、ハンド部２０により荷物を保持した状態で、立ち上がることによって荷物を持ち上げる。作業者が上昇操作スイッチ２３を押し操作すると、脚作用部３において操作アーム１２が下側に駆動され、作業者の太腿部が下側に操作されて、作業者の立ち上がりが補助される。
【００６７】
作業者が上昇操作スイッチ２３を押し操作した状態で立ち上がった後に、脚作用部３において、操作アーム１２が略真下に向く位置に達したことが検出されると、作業者が完全に立ち上がったと判断されて、脚作用部３の電動モータは停止状態（自由回転状態）となる。
【００６８】
次に昇降装置１７において、電動モータ２７が巻き取り側に作動し、ワイヤ１８，１９のインナー１８ａ，１９ａが巻き取られて、ハンド部２０が上昇する。所望の位置までハンド部２０が上昇すると、上昇操作スイッチ２３の押し操作を止めることにより、電動モータ２７が停止してハンド部２０が停止する。
【００６９】
作業者は、荷物を置くべき高い棚やトラックの荷台等へ歩いて移動する。作業者が高い棚やトラックの荷台等に到着して、作業者が下降操作スイッチ２４を押し操作すると、昇降装置１７において、電動モータ２７が繰り出し側に作動し、ワイヤ１８，１９のインナー１８ａ，１９ａが繰り出されて、ハンド部２０が下降する。
【００７０】
作業者は、荷物を高い棚やトラックの荷台等に置いて、ハンド部２０を荷物から取り外す。荷物を高い棚やトラックの荷台等に置くと、最初の状態に戻るので、次の荷物に対して同様な操作を行う。
【００７１】
（発明の実施の第１別形態）
レインカバー２８を、以下の説明のように構成してもよい。
図６に示すように、レインカバー２８において後側部３０の上部の右部及び左部から、右及び左のアーム部カバー４１が延出されており、アーム部カバー４１の右及び左部に、面ファスナ４２が取り付けられている。
【００７２】
後側部３０の上部及び下部に、換気部４３が開口されている。上部の換気部４３に雨が入らないようにするカバー４４が取り付けられており、カバー４４は、硬質の合成樹脂製で、下向きの開口部４４ａが形成されている。
上記以外の構成として、図４に示すレインカバー２８と同じ前側部２９、後側部３０、右及び左の横側部３１、上側部３２、右及び左の脚作用部カバー３３が備えられている。
【００７３】
以上のレインカバー２８において、図４及び図５と同様にレインカバー２８をアシスト器具の本体部１に取り付けるのであり、右及び左のアーム部カバー４１を、アシスト器具の右及び左のアーム部２に巻き付け、面ファスナ４２を接続して取り付ける。
【００７４】
制御装置８、昇降装置１７やバッテリー９から発生した熱がレインカバー２８の内部に滞留しようとしても、換気部４３により熱が外部に排出され、換気部４３により外部の空気がレインカバー２８に導入される。
この場合、カバー４４を下部の換気部４３に備えてもよく、換気部４３及びカバー４４を、図４及び図５に示すレインカバー２８に備えてもよい。
【００７５】
（発明の実施の第２別形態）
レインカバー２８を、以下の説明のように構成してもよい。
図７に示すように、後側部３０に、図４及び図６と同様な開閉部３９（切断線３８）、換気部４３及びカバー４４が備えられており、後側部３０の下部から下側に、脚カバー４５が延出されている。
【００７６】
図４及び図６に示す上側部３２、右及び左のアーム部カバー４１は備えられておらず、後側部３０の上部から頭部カバー４６が延出されている。頭部カバー４６は、透明のビニール等の上側部分４６ａ、面ファスナ４７が取り付けられた右及び左の取付部４６ｂ、右及び左の取付部４６ｂに亘って取り付けられた細長い線材のフレーム部４６ｃが備えられている。
【００７７】
後側部３０の右及び左部に、右及び左の横側部３１が接続されている。右の横側部３１から、比較的長い前側部２９の右側部分２９ａが延出され、左の横側部３１から、比較的長い前側部２９の左側部分２９ｂが延出されている。前側部２９の右側部分２９ａ及び左側部分２９ｂの延出端部に、面ファスナ３４，３５が取り付けられている。
【００７８】
前側部２９の右側部分２９ａ及び左側部分２９ｂの上部に、右及び左のアームホール２９ｃが開口されており、筒状の右及び左の腕部カバー４８が右及び左のアームホール２９ｃに接続されている（縫い付けられている）。前側部２９の右側部分２９ａ及び左側部分２９ｂの下部から下側に、脚カバー４９が延出されている。
【００７９】
右及び左の脚作用部カバー３３が備えられている。右の脚作用部カバー３３において、ギャザー部３３ａとは反対側の部分に、延出部３３ｂが備えられており、延出部３３ｂは透明のビニール等によって形成されている。
【００８０】
以上のようなレインカバー２８において、レインカバー２８をアシスト器具に取り付ける場合、以下の説明のようして取り付ける。
【００８１】
先ず、前項の（アシスト器具の全体構成及び本体部）及び（右及び左の脚作用部）に記載のようにして、作業者はアシスト器具を装着する。
【００８２】
レインカバー２８において、後側部３０をアシスト器具の本体部１（カバー２１）の後側に当て、右及び左の横側部３１をアシスト器具の本体部１の右及び左の横側に当てながら、作業者は右腕及び左腕を右及び左の腕部カバー４８に通し、前側部２９の右側部分２９ａ及び左側部分２９ｂを作業者の前側に位置させて、面ファスナ３４，３５により、前側部２９の右側部分２９ａ及び左側部分２９ｂの突き合わせ部分を接続する。
【００８３】
頭部カバー４６の右及び左の取付部４６ｂを、アシスト器具の右及び左のアーム部２に巻き付け、面ファスナ４７を接続して取り付ける。
以上のようにして、アシスト器具を装着した作業者が、レインカバー２８を着ることができる（取り付けることができる）。
【００８４】
アシスト器具を装着した作業者がレインカバー２８を着た状態（取り付けた状態）において、作業者の前側が、レインカバー２８の前側部２９により覆われる。作業者の太腿部の前側及び後側が、脚カバー４５，４９により覆われる。
アシスト器具の本体部１（制御装置８、昇降装置１７及びバッテリー９、カバー２１）の後側が、レインカバー２８の後側部３０により覆われる。
作業者及びアシスト器具の本体部１（制御装置８、昇降装置１７及びバッテリー９、カバー２１）の右及び左の横側が、レインカバー２８の右及び左の横側部３１により覆われる。
【００８５】
作業者の頭部及びアシスト器具の本体部１（昇降装置１７）の上側が、レインカバー２８の頭部カバー４６により覆われる。この場合、頭部カバー４６のフレーム部４６ｃにより、頭部カバー４６がアーチ形状に維持されており、頭部カバー４６が作業者に接触することは少ない。
【００８６】
アシスト器具の右及び左の脚作用部３が、レインカバー２８の右及び左の脚作用部カバー３３によって覆われる。この場合、右の脚作用部カバー３３の延出部３３ｂが、アシスト器具の操作ボックス２２（図１，２，３参照）を覆う状態となる。右の脚作用部カバー３３の延出部３３ｂは透明であるので、アシスト器具の操作ボックス２２の目視の妨げにはならない。
【００８７】
（発明の実施の第３別形態）
図４〜図７に示すレインカバー２８において、アシスト器具の取付ベルト４、右及び左の肩ベルト５を覆う筒状のベルトカバー（図示せず）を、レインカバー２８に備えてもよい。この場合、ベルトカバーにおいて、取付ベルト４及び肩ベルト５のバックル（図示せず）の部分に、バックルを操作する為の開口部（図示せず）を備えてもよい。
【００８８】
面ファスナ３４〜３７，４０，４２，４７に代えて、ボタン（図示せず）や、線ファスナ（図示せず）（ジッパー、チャック（登録商標））を使用してもよい。
レインカバー２８に加えて、バッテリー９だけを覆う為のソフトカバー（図示せず）やハードカバー（図示せず）を備えてもよい。
【００８９】
（発明の実施の第４別形態）
アシスト器具において、右及び左のアーム部２を廃止して、１本のアーム部２を備えてもよい。
この構造によると、１本のアーム部２から２本のワイヤ１８を延出して、２本のワイヤ１８の一方に右のハンド部２０を接続し、２本のワイヤ１８の他方に左のハンド部２０を接続する。又は、１本のアーム部２から１本のワイヤ１８を延出し、１本のワイヤ１８の端部を二股状に分岐させて、分岐部分の一方に右のハンド部２０を接続し、分岐部分の他方に左のハンド部２０を接続する。
【００９０】
アシスト器具において、上昇操作スイッチ２３を左のハンド部２０に備え、下降操作スイッチ２４を右のハンド部２０に備えてもよい。上昇操作スイッチ２３及び下降操作スイッチ２４の両方を、右又は左の一方のハンド部２０に備えてもよい。
【００９１】
アシスト器具において、右及び左の脚作用部３を備えないように構成してもよい。この構造によると、レインカバー２８において、右及び左の脚作用部カバー３３は備えなくてもよい。
【００９２】
図７に示すレインカバー２８が取り付けられるアシスト器具において、昇降装置１７、上昇操作スイッチ２３及び下降操作スイッチ２４を廃止して、ワイヤ１８，１９を本体部１やアーム部２に連結し、ハンド部２０の位置を固定して、ハンド部２０の昇降を行わないように構成してもよい。
【産業上の利用可能性】
【００９３】
本発明は、作業者に装着されて作業者の作業を補助するアシスト器具に取り付けられるレインカバーに適用できる。
【符号の説明】
【００９４】
１          本体部
２          アーム部
９          バッテリー
１７        昇降装置
１８，１９  ワイヤ
２０        ハンド部
２９        前側部
２９ａ      右側部分
２９ｂ      左側部分
３０        後側部
３１        横側部
３２        上側部
３４，３５  接続部
３９        開閉部
４３        換気部
４６        頭部カバー
４８        腕部カバー
【図１】
2019026471.tif 000003
【図２】
2019026471.tif 000004
【図３】
2019026471.tif 000005
【図４】
2019026471.tif 000006
【図５】
2019026471.tif 000007
【図６】
2019026471.tif 000008
【図７】
2019026471.tif 000009